(57)【特許請求の範囲】
【請求項１】
第一の原稿を読み取る指示に応じて第一の原稿を読み取って得られた原稿の画像データと、読み取られた原稿の枚数を計数してその枚数を取得する取得手段と、
前記読み取られた原稿の画像データに基づいてシートに画像を形成する画像形成手段と、
前記第一の原稿が読み取られると、前記第一の原稿の枚数に基づいて、前記シートに対する前記第一の原稿に関する合紙として挿入するよう指示された用紙の挿入位置を提示するとともに、当該合紙として挿入するよう指示された用紙の一面若しくは両面に対して画像を形成するか否かを指示するための指示部を提示する提示手段と、
前記提示手段による提示の後、第二の原稿を読み取る指示を受け付ける受付手段と、を有し、
前記第二の原稿が読み取られることに応じて、前記取得手段は前記第二の原稿の枚数を取得し、前記取得手段が取得した前記第一の原稿の枚数と、前記第二の原稿の枚数と、前記指示部における前記第一の原稿に関する合紙として挿入するよう指示された用紙の一面若しくは両面に対して画像を形成するか否かの指示に基づいて、前記提示手段は、前記第二の原稿に関する合紙として挿入するよう指示された用紙の挿入位置を更に提示することを特徴とする画像形成装置。
【請求項２】
前記取得手段は、原稿束のコピーを指示するジョブに基づいて、当該原稿束の画像データと、読み取られた前記原稿束の枚数を計数してその枚数を取得することを特徴とする請求項１に記載の画像形成装置。
【請求項３】
前記取得手段は、原稿のコピーを指示するジョブに基づいて、当該原稿の画像データと、読み取られた前記原稿の枚数を計数してその枚数を取得することを特徴とする請求項１に記載の画像形成装置。
【請求項４】
前記合紙として挿入する指示は、前記ジョブのそれぞれにより形成される各シートの束の間に前記合紙として挿入するよう指示された用紙を挿入するための指示であることを特徴とする請求項２又は３に記載の画像形成装置。
【請求項５】
前記提示手段は更に、前記合紙として挿入するよう指示された用紙の種類、枚数、当該用紙の給紙元の少なくともいずれかを選択可能に提示することを特徴とする請求項１乃至４のいずれか１項に記載の画像形成装置。
【請求項６】
それぞれが原稿束のコピーを指示するジョブである複数のジョブの結合を指示する指示手段と、
前記指示手段により前記複数のジョブの結合が指示されると前記合紙としての用紙を挿入する指示を受け付け可能とし、当該合紙として挿入するよう指示された前記用紙の一覧を表示部に表示させる第１表示手段と、
前記第１表示手段により表示された前記用紙の一覧を編集する編集手段と、
を更に有することを特徴とする請求項１乃至５のいずれか１項に記載の画像形成装置。
【請求項７】
前記指示手段により前記複数のジョブの結合が指示されたことに応じて、前記複数のジョブと、当該複数のジョブで形成されるシートの束の間に前記合紙として挿入される前記用紙の一覧を前記表示部に表示させる第２表示手段を、更に有することを特徴とする請求項６に記載の画像形成装置。
【請求項８】
画像形成装置を制御する制御方法であって、
取得手段が、第一の原稿を読み取る指示に応じて前記第一の原稿を読み取って得られた原稿の画像データと、読み取られた原稿の枚数を計数してその枚数を取得する取得工程と、
画像形成手段が、前記読み取られた原稿の画像データに基づいてシートに画像を形成する画像形成工程と、
提示手段が、前記第一の原稿が読み取られると、前記第一の原稿の枚数に基づいて、前記シートに対する前記第一の原稿に関する合紙として挿入するよう指示された用紙の挿入位置を提示するとともに、当該合紙として挿入するよう指示された用紙の一面若しくは両面に対して画像を形成するか否かを指示するための指示部を提示する提示工程と、
受付手段が、前記提示工程による提示の後、第二の原稿を読み取る指示を受け付ける受付工程と、を有し、
前記第二の原稿が読み取られることに応じて、前記取得工程が前記第二の原稿の枚数を取得し、前記取得工程が取得した前記第一の原稿の枚数と、前記第二の原稿の枚数と、前記指示部における前記第一の原稿に関する合紙として挿入するよう指示された用紙の一面若しくは両面に対して画像を形成するか否かの指示に基づいて、前記提示工程は、前記第二の原稿に関する合紙として挿入するよう指示された用紙の挿入位置を更に提示することを特徴とする画像形成装置の制御方法。
【請求項９】
コンピュータを、請求項１乃至７のいずれか１項に記載の画像形成装置の各手段として機能させるためのプログラム。
【発明の詳細な説明】
【技術分野】
【０００１】
本発明は、画像形成装置とその制御方法、及びプログラムに関する。
【背景技術】
【０００２】
近年、画像形成装置において、複数の束に分かれている原稿を各束ごとに読み取り、その原稿の画像データを結合して一連の印刷物として出力することが行われている。その際、各束ごとに、互いに異なるモードや仕上げ方法を設定し、更に、各束の印刷物と印刷物との間に挿入紙を挿入するように設定できる。更に、例えば一束目と二束目をコピーした印刷物の間に色紙を挿入し、二束目と三束目をコピーした印刷物の間にインデックス紙を挿入したい場合、上述の挿入紙の挿入機能を使用して、何ページ目の印刷物にどの用紙を挿入するかを指定できる方法がある。また、各ジョブで作成された印刷物の束を結合するプログラムジョブ機能において、あるジョブで印刷物の束が形成された後にインタラクション状態となり、その束の処理（ステイプル）や区切り（章紙）の設定を可能にした技術が知られている（特許文献１参照）
【先行技術文献】
【特許文献】
【０００３】
【特許文献１】特開２０１０−１３４５１０号公報
【発明の概要】
【発明が解決しようとする課題】
【０００４】
しかしながら従来の方法では、まず印刷物の束の枚数を数えて、その束の全ページの状態を記憶し、挿入紙の挿入位置や挿入紙の種類を設定しなければならない。そのため、ユーザは全ページの状態を把握し、全ての印刷物の束の全体像を想像しながら挿入紙を設定する必要があるため、操作ミスを招きやすく、挿入紙の設定を誤ると成果物が正しく得られなくなる。
【０００５】
本発明の目的は、上記従来技術の課題を解決することにある。
【０００６】
本発明の特徴は、印刷されたシートの間に挿入される用紙の設定を、より簡単にする技術を提供することにある。
【課題を解決するための手段】
【０００７】
上記目的を達成するために本発明の一態様に係る画像形成装置は以下のような構成を備える。即ち、
第一の原稿を読み取る指示に応じて第一の原稿を読み取って得られた原稿の画像データと、読み取られた原稿の枚数を計数してその枚数を取得する取得手段と、
前記読み取られた原稿の画像データに基づいてシートに画像を形成する画像形成手段と、
前記第一の原稿が読み取られると、前記第一の原稿の枚数に基づいて、前記シートに対する前記第一の原稿に関する合紙として挿入するよう指示された用紙の挿入位置を提示するとともに、当該合紙として挿入するよう指示された用紙の一面若しくは両面に対して画像を形成するか否かを指示するための指示部を提示する提示手段と、
前記提示手段による提示の後、第二の原稿を読み取る指示を受け付ける受付手段と、を有し、
前記第二の原稿が読み取られることに応じて、前記取得手段は前記第二の原稿の枚数を取得し、前記取得手段が取得した前記第一の原稿の枚数と、前記第二の原稿の枚数と、前記指示部における前記第一の原稿に関する合紙として挿入するよう指示された用紙の一面若しくは両面に対して画像を形成するか否かの指示に基づいて、前記提示手段は、前記第二の原稿に関する合紙として挿入するよう指示された用紙の挿入位置を更に提示することを特徴とする。
【発明の効果】
【０００８】
本発明によれば、ユーザは、読み取った原稿の枚数などを気にせずに、画像形成済のシートに挿入する用紙の位置設定を行うことができるため、操作ミスによる成果物の不良を軽減できる。
【０００９】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１０】
添付図面は明細書に含まれ、その一部を構成し、本発明の実施形態を示し、その記述と共に本発明の原理を説明するために用いられる。
【図１】本発明の実施形態１に係る画像形成装置を含むシステムの構成を示す図。
【図２】実施形態１に係る画像形成装置のコントローラのハードウェア構成を説明するブロック図。
【図３】実施形態１に係る画像形成装置の操作部の上面図（Ａ）と、実施形態１に係る画像形成装置の表示部に表示されるコピー初期画面の一例を示す図（Ｂ）。
【図４】実施形態１に係る画像形成装置の表示部に表示される応用モード設定画面の一例を示す図。
【図５】実施形態１に係る画像形成装置の表示部に表示される、ジョブ結合モードで一つの原稿束を読み取った後に表示するインタラクション画面の一例を示す図。
【図６】実施形態１に係る画像形成装置の表示部に表示される挿入紙の設定画面の一例を示す図。
【図７】実施形態１に係る画像形成装置の表示部に表示される挿入紙の詳細設定画面の一例を示す図。
【図８】図７の挿入紙の詳細設定画面でＯＫボタンが押下されたときに表示される挿入紙の設定画面の一例を示す図。
【図９】実施形態１に係る画像形成装置の表示部に表示される、２束目の原稿を読み取った後で表示される挿入紙の設定画面の一例を示す図。
【図１０】実施形態１に係る画像形成装置の表示部に表示される挿入紙の詳細設定画面の一例を示す図。
【図１１】図１０の挿入紙の詳細設定画面でＯＫボタンが押下されたときに表示される挿入紙の設定画面の一例を示す図。
【図１２】実施形態１に係る画像形成装置で、３束目の原稿を読み取った後、挿入紙ボタンが押下されたときに表示される挿入紙の設定画面の一例を示す図。
【図１３】実施形態１に係る画像形成装置の表示部に表示される挿入紙（インデックス紙）の詳細設定画面の一例を示す図。
【図１４】図１３の挿入紙の詳細設定画面でＯＫボタンが押下されたときに表示される挿入紙の設定画面の一例を示す図。
【図１５】実施形態１に係る画像形成装置の表示部に表示される、ジョブ結合の設定を確認するための画面例を示す図。
【図１６】実施形態１に係る画像形成装置によるジョブ結合モードでの挿入紙の設定及び確認処理を説明するフローチャート。
【図１７】実施形態２に係る画像形成装置の表示部に表示される、連続読み込み中のインタラクション画面の一例を示す図。
【図１８】実施形態２に係る画像形成装置の表示部に表示される、連続読み込み時の、ジョブ結合内容の確認画面の一例を示す図。
【図１９】実施形態２に係る画像形成装置による、連続読み込みモードでのジョブ結合における挿入紙の設定及び確認処理を説明するフローチャート。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
図１は、本発明の実施形態１に係る画像形成装置１００を含むシステムの構成を示す図である。
【００１３】
コントローラ１０１は、実施形態１に係る画像形成装置１００の動作を制御しており、図２に示すハードウェア構成を有している。コントローラ１０１の構成は図２を参照して後述する。スキャナ１０２は、コントローラ１０１により制御されており、原稿を読み取り、その原稿の画像の画像データを出力する。プリンタエンジン１０３は、ＰＣ１０７から受信した印刷ジョブ、或いはスキャナ１０２からの画像データに基づいてシート（用紙）に画像を印刷する。操作部１０６は、タッチパネル機能を有する表示部２０３（図２）とキーボード２０４（図２）等を有し、コントローラ１０１からの情報を表示するとともに、操作部１０６を介して入力されるユーザによる操作指示をコントローラ１０１に伝える。ネットワークインターフェイス１０５は、ネットワークを介した、画像形成装置１００とＰＣ１０７との双方向通信を提供している。
【００１４】
フィニッシャ１０４はプリンタエンジン１０３に接続されており、プリンタエンジン１０３から排紙された複数のシートをまとめて、例えばステイプル処理したり、サドルステッチ等の製本処理を行う。尚、このフィニッシャ１０４は、ここでは画像形成装置１００の外部に接続されているが、画像形成装置１００に設けられていても良い。またフィニッシャ１０４は、画像形成装置１００のコントローラ１０１により制御されている。
【００１５】
図２は、実施形態１に係る画像形成装置１００のコントローラ１０１のハードウェア構成を説明するブロック図である。尚、図２において、図１と共通する部分は同じ参照番号で示している。
【００１６】
コントローラ１０１では、バス２０９を介してＣＰＵ２０１がメモリ２０２、操作部１０６を構成する表示部２０３及びキーボード２０４、ＲＯＭ２１０、ＨＤＤ２１１と接続されている。ＲＯＭ２１０は、ＣＰＵ２０１により実行されるブートプログラムや各種設定データ等を記憶している。ＣＰＵ２０１が実行する各種プログラム及びデータはＨＤＤ２１１に記憶されており、ＣＰＵ２０１がブートプログラムを実行してメモリ２０２に展開されＣＰＵ２０１で実行される。このＨＤＤ２１１は、画像形成装置１００に着脱可能であっても、画像形成装置１００に内蔵されていても良い。またＨＤＤ２１１に代えて、例えばＳＳＤやＳＤカード、ＵＳＢメモリメディアといった記憶媒体を用いても良い。更に、このプログラムは、ネットワークを介して他の画像形成装置やＰＣ１０７等からダウンロードされてＨＤＤ２１１に記憶される構成でも良い。
【００１７】
ＣＰＵ２０１は、表示部２０３にデータを書き込むことにより、表示部２０３を介してユーザにデータを提示し、またＣＰＵ２０１がキーボード２０４或いはタッチパネル機能を有する表示部２０３からデータを入力することによりユーザからの指示を受付ける。こうして入力された情報は、ＣＰＵ２０１の制御の下に、メモリ２０２、ＨＤＤ２１１のいずれかに転送して蓄積され、様々な処理に使用される。画像データは、スキャナ１０２或いはネットワークインターフェイス１０５を介して入力され、ＣＰＵ２０１の制御の下に、ＨＤＤ２１１やメモリ２０２に保存される。ＨＤＤ２１１に格納された画像データは、メモリ２０２に移動もしくはコピーでき、更に、操作部１０６から指示された内容に従って、メモリ２０２の画像データに様々なレイアウト処理を施すことができる。
【００１８】
図３（Ａ）は、実施形態１に係る画像形成装置１００の操作部１０６の上面図である。
【００１９】
表示部２０３は、例えば液晶画面上にタッチパネルシートが貼られたタッチパネルとして機能しており、システムの操作画面及びソフトキー等を表示するとともに、ユーザがキーにタッチすると、その位置情報をＣＰＵ２０１に伝える。スタートキー３０２は、ユーザが、スキャナ１０２による原稿の読み取り動作の開始を指示するときなどに用いる。スタートキー３０２の中央部には緑と赤の２色ＬＥＤ３０３があり、その発光色によってスタートキー３０２が使える状態にあるかどうかを示す。ストップキー３０４は、ユーザが稼働中の動作を止めるときに操作する。テンキー３０５は、数字と文字のボタン群を有し、コピー部数の設定や、表示部２０３の画面切り替えを指示するのに使用される。ユーザモードキー３０６は、ユーザが機器設定を行う際に押下する。図２のキーボード２０４は、これらハードキー３０２〜３０６等を含んでいる。
【００２０】
図３（Ｂ）は、実施形態１に係る画像形成装置１００の表示部２０３に表示されるコピー初期画面の一例を示す図である。
【００２１】
ユーザは、このコピー初期画面から、使用する用紙カセットの選択や、コピーの倍率、カラーコピーかモノクロコピー等の設定を行うことができる。また、細かな設定を行うための応用モードキー３０８を備える。この応用モードキー３０８が押下されると、図４に示す応用モード設定画面に移行する。
【００２２】
図４は、実施形態１に係る画像形成装置１００の表示部２０３に表示される応用モード設定画面の一例を示す図である。
【００２３】
この応用モード設定画面には、各機能のボタンが表示されている。実施形態１の特徴であるジョブ結合機能は、ジョブ結合ボタン４０１が押下されると設定される。ユーザは、この画面でジョブ結合ボタン４０１を押下して、その表示を反転させて「閉じる」ボタン４０２を押すと図３（Ｂ）に示すコピー初期画面に戻る。そして、その状態でユーザがスタートキー３０２を押下すると、ジョブ結合モードでのスキャナ１０２による原稿の読み取りが開始される。
【００２４】
図５は、実施形態１に係る画像形成装置１００の表示部２０３に表示される、ジョブ結合モードで一つの原稿束を読み取った後に表示するインタラクション画面の一例を示す図である。
【００２５】
ポップアップ画面５１１は、現在の状態や各種ボタンを表示している。ページ数５１２は、読み取った原稿のページ数を表示している。図５では、４枚の原稿束を片面で読み取った場合を示し、そのページ数は「４」になっている。ここでユーザが挿入紙ボタン５１３を押下すると図６に示す挿入紙の設定画面に移行する。「ジョブ束の読み込み取り消し」ボタン５１４は、それまでに読み込んだジョブ束の記憶をキャンセルするのに使用される。「次のジョブ束の読み込み設定」ボタン５１５が押下されると、次の原稿の束の読み込みを開始する画面に移行する。「すべてのジョブ束の確認／結合」ボタン５１６は、ユーザが、ジョブ結合モードで、結合したジョブの結果を確認するためのボタンである。
【００２６】
図６は、実施形態１に係る画像形成装置１００の表示部２０３に表示される挿入紙の設定画面の一例を示す図である。
【００２７】
ここではポップアップ画面６０１として表示され、ポップアップ画面６０１は挿入紙の設定に関するボタンを含んでいる。合紙ボタン６０２、章紙ボタン６０３、インデックス紙ボタン６０４は、挿入紙として、それぞれ合紙、章紙、インデックス紙を選択するボタンである。ユーザが、このボタンのいずれかを選択して反転させた状態で追加ボタン６０５が押下されると図７に示す挿入紙の詳細設定画面に遷移する。即ち、挿入紙の種類（図６では合紙）が選択された状態で追加ボタン６０５が押下されると、その合紙を挿入紙として、どこに挿入するか、及びその合紙をどこから給紙するか等を設定する設定画面に移行する。
【００２８】
リスト６０６は、現時点で設定されている挿入紙の設定一覧を示す。図６では、最初の挿入紙の設定であるため、リスト６０６には、挿入紙が表示されていいない。この詳細は図８以降を参照して説明する。詳細／編集ボタン６０７、削除ボタン６０８は、それぞれリスト６０６に表示された、挿入紙の設定の一覧の内、選択された設定の詳細情報の表示及び編集、或いは削除する際に使用される。取り消しボタン６０９は、この画面を介した挿入紙の設定をキャンセルして図５の画面に戻るように指示するボタンである。ＯＫボタン６１０は、この画面を介した挿入紙の設定を確定するように指示するボタンである。
【００２９】
図７は、実施形態１に係る画像形成装置１００の表示部２０３に表示される挿入紙の詳細設定画面の一例を示す図である。この画面は、前述の図６の画面で追加ボタン６０５が押下されることにより表示される。
【００３０】
フィールド７０１は、挿入紙を挿入するページ番号を表示、或いは設定可能なエリアである。図７では、図４〜図６を参照して説明した１束目の原稿のページ数「４」を記憶し、そこに１ページを加えたページ番号「５」がプリセットされて表示されている。これによりユーザは、読み取った原稿の束が何ページであったかを記憶する必要がない。このページ番号は任意に変更可能で、例えば一束目の原稿の最後のページの直前に挿入紙を入れたい場合は、このフィールド７０１に「４」を入力することにより、一束目の原稿の最後のページの直前に挿入紙を挿入するように設定できる。
【００３１】
ボタン７０２は、挿入紙として合紙を設定するボタンである。フィールド７０３は、挿入する合紙の枚数を表示している。ここでは１枚が設定されている。ボタン７０４は、挿入紙である合紙を給紙する給紙元の用紙カセットを選択するボタン、ボタン７０５は、挿入紙に印刷するか否かを設定するボタンである。図７では挿入紙として合紙が選択され、その合紙はカセット２から給紙されるＡ４サイズの用紙で、その合紙は「プリントしない」に設定されている。ボタン７０６は、図１３を参照して後述する、挿入紙としてインデックス紙を設定するボタンである。キャンセルボタン７０７は、この画面を介した挿入紙の追加操作をキャンセルするボタンである。ＯＫボタン７０８は、この画面を介した挿入紙の設定操作を確定するボタンである。
【００３２】
このように図７は、挿入紙の挿入位置、種類、枚数、その給紙元、その挿入紙に対する印刷設定等を、ユーザが選択可能に表示している。
【００３３】
図８は、図７の挿入紙の詳細設定画面でＯＫボタン７０８が押下されたときに表示される挿入紙の設定画面の一例を示す図である。ここでは図６と共通する部分は同じ参照番号で示している。
【００３４】
ここではリスト６０６の行８０１には、最初の挿入紙の設定として、合紙を使用し、その合紙がカセット２から給紙されるＡ４サイズの用紙であり、５ページの前に挿入され、その枚数「１」が表示されている。取り消しボタン６０９は、この画面での挿入紙の設定をキャンセルするように指示するボタンである。ＯＫボタン６１０は、この画面を介した挿入紙の設定を最終的に確定するボタンである。ＯＫボタン６１０が押下されると図５の画面に戻る。
【００３５】
その後、図５の画面で、「次のジョブ束の読み込み設定」ボタン５１５が押下されると、次の２束目である、例えば４ページ分の原稿の読み込みが開始される。こうして２束目の原稿が読み取られると、再び、図５で示した画面と同様の画面が表示される。このときフィールド５１２には、２束目の原稿のページ数である「４」が表示される。そしてユーザが、挿入紙ボタン５１３を押下すると、例えば図９に示す画面が表示される。
【００３６】
図９は、実施形態１に係る画像形成装置１００の表示部２０３に表示される、２束目の原稿を読み取った後で表示される挿入紙の設定画面の一例を示す図である。
【００３７】
図９の画面は、基本的に、前述の図６の画面と同様であるが、リスト６０６のＮｏ．１には、先に説明した最初の挿入紙の設定が表示され、９０１で示すように、Ｎｏ．２に次の挿入紙の設定が可能な状態となっている。ここで、前述の図６と同様にして合紙ボタン６０２を押下して合紙を選択し、追加ボタン６０５を押下して合紙による挿入紙の追加を指示すると、例えば図１０に示す画面に遷移する。
【００３８】
図１０は、実施形態１に係る画像形成装置１００の表示部２０３に表示される挿入紙の詳細設定画面の一例を示す図である。この画面は図９の画面で、合紙ボタン６０２が選択されて追加ボタン６０５が押下されたときに表示される。図１０で図７と共通する部分は同じ参照番号で示している。
【００３９】
ここでは、原稿を読み取って記憶されたページ数が１束目の（４ページ）と２束目の（４ページ）を足した８ページに対し、挿入紙の挿入位置が、１ページ分を加えたページ番号「９」として、フィールド７０１に表示されている。これにより、ユーザは、読み取った原稿の束が何ページ分であったかを記憶する必要がない。その他の設定は図７と同様であるため、その説明を割愛する。
【００４０】
図１１は、図１０の挿入紙の詳細設定画面でＯＫボタン７０８が押下されたときに表示される挿入紙の設定画面の一例を示す図である。ここでは図８と共通する部分は同じ参照番号で示している。
【００４１】
図１１では、リスト６０６において、図８から更に、Ｎｏ．２に２枚目の合紙設定１１０１が追加されている。ここでＯＫボタン６１０が押下されると図５の画面に戻る。
【００４２】
その後、図５の画面で、「次のジョブ束の読み込み設定」ボタン５１５が押下されると、次の３束目、例えば５ページ分の原稿束の読み込みが開始される。こうして３束目の原稿が読み込されると、図５で示した画面と同様の画面が表示される。但し、この場合は、フィールド５１２には、３束目の原稿のページ数である「５」が表示される。その後、ユーザが挿入紙ボタン５１３を押下すると、例えば図１２に示すような挿入紙の設定画面が表示される。
【００４３】
図１２は、実施形態１に係る画像形成装置１００で、３束目の原稿を読み取った後、挿入紙ボタン５１３が押下されたときに表示される挿入紙の設定画面の一例を示す図である。ここでは図１１と共通する部分は同じ参照番号で示している。
【００４４】
図１２では、インデックス紙ボタン６０４が押下されて、挿入紙としてインデックス紙が選択されたことを示すように反転されている。そしてリスト６０６で、次の挿入紙の情報を表示する行１２０１が反転されている。ここでユーザが、追加ボタン６０５を押下すると、例えば図１３に示す画面に遷移する。
【００４５】
図１３は、実施形態１に係る画像形成装置１００の表示部２０３に表示される挿入紙（インデックス紙）の詳細設定画面の一例を示す図である。この画面は図１２の画面で、インデックス紙ボタン６０４が指示されて追加ボタン６０５が押下されたときに表示される。図１３で図７と共通する部分は同じ参照番号で示している。
【００４６】
フィールド７０１は、挿入紙を挿入するページ番号を表示・設定可能なフィールドである。ここでは、ここまでの原稿束、１束目（４ページ）＋２束目（４ページ）＋３束目（５ページ）の合計ページ数である１３ページに、１ページ分を加えたページ番号「１４」が挿入紙を挿入するページ番号として表示されている。これにより、ユーザは、それまでに読み取った原稿束のページ数の合計等を記憶する必要がなくなる。ボタン７０６は、挿入紙をインデックス紙に設定するためのボタンである。フィールド７０３は、挿入するインデックス紙の枚数を表示している。ボタン７０４は用紙選択ボタンで、ここでは「手差しトレイのＡ４サイズのインデックス紙」に設定されている。ボタン７０５は、挿入紙であるインデックス紙にプリントするか否かを設定するボタンである。ここでは「プリントしない」に設定されている。インデックス数１３０１は、インデックス紙のタブの分割数を示し、ここでは５分割に設定されている。キャンセルボタン７０７は、この画面を介した挿入紙の追加操作をキャンセルするボタン、ＯＫボタン７０８は、この画面を介した挿入紙の設定を確定するボタンである。図１３の画面でＯＫボタン７０８が押下されると図１４の画面に遷移する。
【００４７】
図１４は、図１３の挿入紙の詳細設定画面でＯＫボタン７０８が押下されたときに表示される挿入紙の設定画面の一例を示す図である。ここでは図１１と共通する部分は同じ参照番号で示している。
【００４８】
図１４では、図８や図１１の場合と同様に、リスト６０６において、Ｎｏ．３の行１４０１に、３枚目の挿入紙としてインデックス紙の設定がなされている。ここでは挿入紙が「インデックス紙」で、用紙カセットは「手差しトレイのＡ４サイズ」で、挿入位置は図１３から、１４ページの前であることが分かる。
【００４９】
この画面でユーザがＯＫボタン６１０を押下すると、図５に示すインタラクション画面に戻る。図５の画面で、ユーザが「すべてのジョブ束の確認／結合」ボタン５１６を押下すると、例えば図１５に示す画面に遷移する。
【００５０】
図１５は、実施形態１に係る画像形成装置１００の表示部２０３に表示される、ジョブ結合の設定を確認するための画面例を示す図である。
【００５１】
リスト１５０１は、ジョブ束の結合結果を示すリスト画面である。フィールド１５０２は、プリント部数を設定するフィールドである。エリア１５０３は、ジョブの結合設定を確認するための表示領域である。ここでリスト１５０１の行をタップしたり、選択解除キー１５０６で、リスト１５０１の項目を全選択、或いは全解除でき、リスト１５０１の項目のチェックを付け外しすることにより、ジョブ結合の対象とするかどうかを選択できる。ページ数表示１５０４は、リスト１５０１の項目に対応するページ数を表示している。コピーの場合は、読み取った原稿の束の合計ページ数、挿入紙（合紙、インデックス紙）の場合は、その挿入紙を挿入するページ数を記述している。トータルページ１５０５は、合計のページ数を表示しており、一つ目の原稿束からの挿入紙も含めたページ数の累計を表示している。
【００５２】
ここでは、最初のコピー「００１」で最初の４枚の原稿がコピーされ、その後に１枚の合紙が挿入され、次のコピー「００１」で２束目の４枚の原稿がコピーされ、その後の１枚の合紙が挿入されている。更に、次に３回目のコピー「００１」で５枚の原稿がコピーされ、その後にインデックス紙が挿入されて、合計１６枚の印刷物が完成することが分かる。
【００５３】
ここでリスト１５０１の所望の行を選択して選択解除ボタン１５０６を押下すると、このジョブ結合から、その行で示されたコピー或いは挿入紙を除外することができる。また表紙ボタン１５０８を押下することにより、このジョブ結合に、新たに表紙を追加できる。また挿入紙ボタン１５０９を押下することにより、別の挿入紙を追加することもできる。
【００５４】
試しプリントボタン１５０７は、このジョブ結合による印刷結果を確認するために試し印刷を指示するボタンである。表紙ボタン１５０８、挿入紙ボタン１５０９は、それぞれ表紙や挿入紙を設定するためのボタンである。また「ボックスファイルを追加」ボタン１５１０、「読取原稿を追加」ボタン１５１１は、それぞれボックスから、或いはスキャナ１０２により原稿を読み取ることにより、原稿束を追加するように指示するボタンである。「ジョブ結合中止」ボタン１５１２は、ジョブ結合のための操作をすべて中止するボタンであり、「プリント開始」ボタン１５１３は、この設定に従ってプリントを開始するように指示するボタンである。
【００５５】
このようにまた、ジョブ結合による、印刷物の仕上がりをリストで表示することで、ユーザは、ジョブ結合の結果（仕上がり）のイメージを把握することができユーザにとって利便性や視認性が向上できるという効果がある。
【００５６】
図１６は、実施形態１に係る画像形成装置１００によるジョブ結合モードでの挿入紙の設定及び確認処理を説明するフローチャートである。尚、この処理を実行するプログラムはＨＤＤ２１１に格納されており、実行時、メモリ２０２に展開され、ＣＰＵ２０１の制御の下に実行されることにより、このフローチャートで示す処理が達成される。
【００５７】
この処理は、例えば図３（Ｂ）に示すようなコピー初期画面が表示された状態で応用モードボタン３０８が押下されると図４の応用モード設定画面が表示される。そして、その画面でジョブ結合ボタン４０１が選択されて閉じるボタン４０２が押下されることにより開始される。
【００５８】
まずＳ１６０１でＣＰＵ２０１は、操作部１０６のスタートキー３０２が押下されるのを待ち、スタートキー３０２が押下されると、スキャナ１０２を制御して原稿の読み取りを開始する。そしてスキャナ１６０２で原稿を読み取り、得られた原稿の画像データを取得してＨＤＤ２１１に記憶するとともに、その枚数（ページ数）を計数して取得する。そしてＳ１６０３で、最初の複数の原稿（原稿束）の読み取りが完了するまでＳ１６０２，Ｓ１６０３を繰り返し実行し、原稿束の読取が完了するとＳ１６０４に進み、その計数した原稿の枚数をメモリ２０２に記憶する。尚、ここでは説明を簡単にするために、原稿の片面を読み取る例で説明する。従って、原稿を読み取ったページ数と、読み取った原稿の枚数とは一致している。
【００５９】
次にＳ１６０５に進みＣＰＵ２０１は、例えば図５に示すような、インタラクション画面を表示する。次にＳ１６０６に進みＣＰＵ２０１は、図５の画面で挿入紙ボタン５１３が押下されたかどうかを判定する。挿入紙ボタン５１３が押下されたときはＳ１６０７に進むが、そうでないときはＳ１６１１に進む。Ｓ１６０７でＣＰＵ２０１は、例えば図６に示すような挿入紙の設定画面を表示部２０３に表示する。そして図６の画面を介してユーザが、挿入紙の種類を選択して追加ボタン６０５を押下するとＳ１６０８に進み、例えば図７に示すような画面を表示して、ユーザに指定された挿入紙の種類と、その挿入位置等を表示する。次にＳ１６０９に進みＣＰＵ２０１は、図７の画面でＯＫボタン７０８が押下されたかどうかを判定し、ＯＫボタン７０８が押下されたときはＳ１６１０に進む。Ｓ１６１０でＣＰＵ２０１は、図７の画面を介して設定された挿入紙の挿入位置、種類枚数などを確定してＳ１６０５に進み、再度、図５に示すようなインタラクション画面を表示する。
【００６０】
Ｓ１６０６でＣＰＵ２０１は、図５の画面で挿入紙ボタン５１３が押下されないと判定したときはＳ１６１１に進み、「次のジョブ束の読込み設定」ボタン５１５が押下されたかどうかを判定する。「次のジョブ束の読込み設定」ボタン５１５が押下されたと判定したときはＳ１６０２に進み、スキャナ１０２を制御して、次の原稿の束の読み取り処理を実行して、前述の最初の原稿束の読み取り時と同様の処理を実行する。
【００６１】
一方、Ｓ１６１１で「次のジョブ束の読込み設定」ボタン５１５が押下されていないと判定するとＳ１６１２に進み、図５の画面で「すべてのジョブ束の確認／結合」ボタン５１６が押下されたかどうか判定する。「すべてのジョブ束の確認／結合」ボタン５１６が押下されたと判定するとＳ１６１３に進みＣＰＵ２０１は、例えば図１５に示すようなジョブ結合の確認／プリント画面を表示する。そしてＳ１６１４に進みＣＰＵ２０１は、この画面で「プリント開始」ボタン１５１３が押下されたかどうかを判定し、「プリント開始」ボタン１５１３が押下されるとＳ１６１５に進みＣＰＵ２０１は、それまで読み取った原稿束の印刷処理を実行する。
【００６２】
またＳ１６１２でＣＰＵ２０１は、図５の画面で「すべてのジョブ束の確認／結合」ボタン５１６が押下されないときはＳ１６１６に進み、「ジョブ束の読込み取り消し」ボタン５１４が押下されたかどうか判定する。「ジョブ束の読込み取り消し」ボタン５１４が押下されなければＳ１６０５に進むが、「ジョブ束の読込み取り消し」ボタン５１４が押下されると、今までの設定を破棄して、この処理を終了する。
【００６３】
以上説明したように実施形態１によれば、複数の原稿束を読み取り、その読み取った複数の原稿束の画像を結合して印刷するコピー処理を行う場合、その印刷物の間に挿入する挿入紙の種類を選択し、印刷物の所望の位置に挿入するように設定できる。その際、その挿入紙を、どの給紙カセットから給紙するかも指定できる。
【００６４】
また、読み取った原稿の枚数に基づいて、挿入紙を挿入する位置が自動的に計算されて表示されるので、ユーザは、読み取った原稿束それぞれの枚数を気にすることなく、簡単に挿入紙の挿入位置を設定・確認できる。
【００６５】
また挿入紙の追加や削除も、挿入紙の設定画面から簡単に指示できるので、ユーザにとって使い勝手が良いという効果もある。
【００６６】
［実施形態２］
次に、本発明の実施形態２について説明する。実施形態２では、実施形態１の様なジョブ結合ではなく、連続読み込みモードの際に挿入紙を設定する例で説明する。尚、実施形態２に係る画像形成装置の構成は、基本的には実施形態１と同様であり、一部画面構成が異なるだけであるため、その差分のみを説明する。ここで連続読み込みモードは、例えばＡＤＦ（自動原稿給紙装置）を使用せずに、原稿台（圧板）に１枚ずつ原稿をセットして原稿を読み取るときに、その１枚１枚を一つの文書としてまとめたいときなどに使用する。これは例えば、原稿サイズが異なる複数種類の用紙を、ＡＤＦによる原稿の読み取りと、圧板に原稿をセットして一枚ずつ読み取る方式の両方を採用して行い、こうして読み取った原稿を一つの文書にまとめたい場合などに使用される。
【００６７】
図１７は、実施形態２に係る画像形成装置１００の表示部２０３に表示される、連続読み込み中のインタラクション画面の一例を示す図である。これは前述の実施形態１に係るジョブ結合の場合の図５のインタラクション画面に相当している。
【００６８】
ポップアップ画面１７０１において、トータルページ数１７０２、読み取った原稿の枚数１７０３、設定した部数１７０４が表示されている。ここでは２枚の原稿を片面で読み取った例を示し、２枚の原稿で２ページ分の読み取りが完了している状態を示している。ここで挿入紙ボタン１７０５が押下されると、挿入紙の設定のための画面に進む。この挿入紙の設定画面は、前述の実施形態１と同様に、例えば図６〜図８のようになる。ここでも、挿入紙の設定画面を介して、挿入紙として合紙やインデックス紙などの用いた挿入紙の設定を行う。取り消しボタン１７０６は、原稿の読み取りをキャンセルするためのボタンである。「次の原稿読込」ボタン１７０７は、次の原稿の読み取り処理を開始させるためのボタンである。結合内容確認ボタン１７０８が押下されると、例えば図１８に示すような確認画面に遷移する。
【００６９】
図１８は、実施形態２に係る画像形成装置１００の表示部２０３に表示される、連続読み込み時の、ジョブ結合内容の確認画面の一例を示す図である。この画面は前述の図１５と共通しているため、その説明を割愛する。
【００７０】
図１８では、２枚の原稿を読み取ったコピーの後の２枚の印刷物の後に１枚の合紙が挿入され、その後に４枚の原稿のコピーが実行されるように設定されている。
【００７１】
図１９は、実施形態２に係る画像形成装置１００による、連続読み込みモードでのジョブ結合における挿入紙の設定及び確認処理を説明するフローチャートである。尚、この処理を実行するプログラムはＨＤＤ２１１に格納されており、実行時、メモリ２０２に展開され、ＣＰＵ２０１の制御の下に実行されることにより、このフローチャートで示す処理が達成される。
【００７２】
この処理は、例えば図３（Ｂ）に示すようなコピー初期画面が表示された状態で応用モードボタン３０８が押下されると図４の応用モード設定画面が表示される。そして、その画面でジョブ結合ボタン４０１が選択されて閉じるボタン４０２が押下されることにより開始される。
【００７３】
Ｓ１９０１でスタートキー３０２が押下されるとＳ１９０２に進み、スキャナ１０２により１枚の原稿を読み取り、Ｓ１９０３でその読取が終了するとＳ１９０４に進み、その画像データと読み取った枚数をＨＤＤ２１１に記憶する。次にＳ１９０５に進みＣＰＵ２０１は、例えば図１７で示すようなインタラクション画面を表示部２０３に表示する。次にＳ１９０６に進みＣＰＵ２０１は、挿入紙ボタン１７０５が押下されたかどうかを判定し、押下された場合にはＳ１９０７に進み、例えば前述の図６や図７で示したような挿入紙の設定画面を表示する。Ｓ１９０７〜Ｓ１９１０の処理は、前述の図１６のＳ１６０７〜Ｓ１６１０の処理と同じであるため、その説明を省略する。
【００７４】
またＳ１９０６で挿入紙ボタン１７０５が押下されなかった場合はＳ１９１１に進み、ＣＰＵ２０１は、図１７の「次の原稿読込」ボタン１７０７が押下されたかどうかを判定する。ここで「次の原稿読込」ボタン１７０７が押下されたと判定するとＳ１９０２に進み、次の原稿の読み取り処理を実行する。一方、「次の原稿読込」ボタン１７０７が押下されない場合はＳ１９１２に進み、図１７の「結合内容確認」ボタン１７０８が押下されたかどうかを判定する。「結合内容確認」ボタン１７０８が押下されたと判定するとＳ１９１３に進み、ＣＰＵ２０１は、例えば図１５に示すようなジョブ結合した結果を確認するための画面を表示する。Ｓ１９１３〜Ｓ１９１５の処理は前述の図１６のＳ１６１３〜Ｓ１６１５の処理と同じであるため、その説明を省略する。
【００７５】
またＳ１９１２で「結合内容確認」ボタン１７０８が押下されないときはＳ１９１６に進みＣＰＵ２０１は、図１７の「取り消し」ボタン１７０６が押下されたか判定する。「取り消し」ボタン１７０６が押下されると、ジョブをキャンセルして、この処理を終了する。また「取り消し」ボタン１７０６が押下されないときはＳ１９０５に進む。
【００７６】
以上説明したように実施形態２によれば、原稿を一枚ずつ読み取り、その読み取った原稿の画像を結合して印刷するコピー処理を行う場合、その印刷物の間に挿入する挿入紙の種類を選択し、印刷物の所望の位置に挿入するように設定できる。その際、その挿入紙を、どの給紙カセットから給紙するかも指定できる。
【００７７】
また、読み取った原稿の枚数に基づいて、挿入紙を挿入する位置が自動的に計算されて表示されるので、ユーザは、読み取った原稿の枚数を気にすることなく、簡単に挿入紙の挿入位置を設定・確認できる。
【００７８】
また挿入紙の追加や削除も、挿入紙の設定画面から簡単に指示できるので、ユーザにとって使い勝手が良いという効果もある。
【００７９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８０】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００８１】
１０１…コントローラ、１０２…スキャナ、１０３…プリンタエンジン、１０４…フィニッシャ、１０６…操作部、１０７…ＰＣ、２０１…ＣＰＵ、２０２…メモリ、２０３…表示部、２０４…キーボード
【図１】
0006558949.tif 000002
【図２】
0006558949.tif 000003
【図３】
0006558949.tif 000004
【図４】
0006558949.tif 000005
【図５】
0006558949.tif 000006
【図６】
0006558949.tif 000007
【図７】
0006558949.tif 000008
【図８】
0006558949.tif 000009
【図９】
0006558949.tif 000010
【図１０】
0006558949.tif 000011
【図１１】
0006558949.tif 000012
【図１２】
0006558949.tif 000013
【図１３】
0006558949.tif 000014
【図１４】
0006558949.tif 000015
【図１５】
0006558949.tif 000016
【図１６】
0006558949.tif 000017
【図１７】
0006558949.tif 000018
【図１８】
0006558949.tif 000019
【図１９】
0006558949.tif 000020